(57)【特許請求の範囲】
【請求項１】
壁を構成するコンクリートブロックにおけるフェイスシェルとウェブとによって囲まれた空洞部内に配筋された縦筋を折り曲げるコンクリートブロック用縦筋折り曲げ具であって、
前記コンクリートブロックのうち前記壁の最上段に配されるコンクリートブロックにおける前記空洞部内に挿入され前記縦筋の外面のうち当該空洞部内に位置する部分に接して前記縦筋を保持する縦筋保持部と、
前記縦筋保持部が先端側に配され作業者によって把持される保持側把持部が基端側に配された第一棒状部材と、
前記縦筋の外面における前記縦筋保持部と前記縦筋との接触部位とは異なる位置において前記縦筋の外面に接する支持部と、
前記支持部から離れた位置に配され前記支持部と前記縦筋との接点とは異なる前記空洞部外の位置において前記縦筋の外面に接する曲げ作用部と、
前記支持部と前記曲げ作用部とが先端側に設けられ前記作業者によって把持される曲げ側把持部が基端側に配された第二棒状部材と、
を備え、
前記空洞部内において前記縦筋保持部に前記縦筋が保持された状態で、前記縦筋保持部による前記縦筋の保持位置よりも鉛直上方に位置する前記縦筋の外面の一部に前記支持部および前記曲げ作用部を接触させ、且つ前記曲げ作用部が前記支持部を回転中心として回転移動するように前記第一棒状部材に対して前記第二棒状部材を移動させることによって前記縦筋が垂直方向から水平方向へ向かって折り曲げられる
ことを特徴とするコンクリートブロック用縦筋折り曲げ具。
【請求項２】
請求項１に記載のコンクリートブロック用縦筋折り曲げ具であって、
前記縦筋保持部と前記第一棒状部材とを備えた保持ハッカーと、
前記保持ハッカーとは別体であって前記支持部と前記曲げ作用部と前記第二棒状部材とを備えた曲げハッカーと、
を有し、
前記縦筋が垂直に延びている状態において、前記縦筋保持部によって前記縦筋を保持した状態の保持ハッカーの第一棒状部材は、前記支持部および前記曲げ作用部が前記縦筋に接した状態の前記曲げハッカーの第二棒状部材に対して交差する方向に延びて配置され、
前記曲げハッカーに設けられた支持部は前記縦筋を間に挟んで前記保持ハッカーと反対側に位置し、且つ前記曲げ作用部は前記縦筋を間に挟んで前記支持部と反対側に位置し、
前記第一棒状部材と前記第二棒状部材との間隔が開く方向に前記第一棒状部材に対して前記第二棒状部材を移動させることによって前記縦筋を垂直方向から水平方向へと折り曲げることを特徴とするコンクリートブロック用縦筋折り曲げ具。
【請求項３】
請求項２に記載のコンクリートブロック用縦筋折り曲げ具であって、
前記第一棒状部材と前記第二棒状部材との少なくともいずれかの基端には、前記縦筋における折り曲げ予定部位から前記縦筋の上端までの範囲の前記縦筋が内部に挿入される有底筒形状の入隅用曲げ補助部が設けられていることを特徴とするコンクリートブロック用縦筋折り曲げ具。
【請求項４】
請求項１に記載のコンクリートブロック用縦筋折り曲げ具であって、
前記縦筋保持部と前記第一棒状部材とを備えた保持ハッカーと、
前記支持部と前記曲げ作用部と前記第二棒状部材とを備えた曲げハッカーと、
を有し、
前記保持ハッカーと前記曲げハッカーとは前記支持部を回転中心として相対回動可能に前記支持部において互いに連結され、
前記縦筋保持部と前記縦筋とが前記空洞部内にて接しているときに前記第一棒状部材が天端筋と平行な向きとなるように、前記縦筋保持部と前記第一棒状部材との接続部分は屈曲して形成されていることを特徴とするコンクリートブロック用縦筋折り曲げ具。
【請求項５】
請求項４に記載のコンクリートブロック用縦筋折り曲げ具であって、
前記第二棒状部材の先端に、前記支持部から前記曲げ作用部までの距離よりも前記支持部から離れた位置に配され前記空洞部外で前記縦筋の外面に接する補助作用部をさらに備えることを特徴とするコンクリートブロック用縦筋折り曲げ具。
【請求項６】
請求項４に記載のコンクリートブロック用縦筋折り曲げ具であって、
前記第一棒状部材は、前記コンクリートブロックのうち前記壁の最上段に配されるコンクリートブロックの上面および両フェイスシェルに接して前記第一棒状部材を前記天端筋と平行に保持する支持台部を有する
ことを特徴とするコンクリートブロック用縦筋折り曲げ具。
【発明の詳細な説明】
【技術分野】
【０００１】
本発明は、コンクリートブロック用縦筋折り曲げ具に関する。
【背景技術】
【０００２】
一般的に、コンクリートブロックを積み上げて形成する塀や壁などには、縦筋や横筋などの鉄筋が配筋されている。これらの鉄筋の端部は、鉄筋同士を連結する目的で折り曲げ等の加工がなされている場合がある。例えば、建築基準法（施行令６２条の８）及び建築学会規準集（壁式構造関係設計規準集・同解説メンソーリ編）には、コンクリートブロックを積み上げて形成する塀や壁における最上段のコンクリートブロック上に天端筋と呼ばれる横筋を配し、コンクリートブロック内に鉛直方向に配筋される縦筋を天端筋に連結可能となるように折り曲げ加工することが規定されている。
このような折り曲げ加工としては、縦筋を１８０°折り曲げる加工若しくは縦筋を９０°折り曲げる加工が知られている。
【０００３】
また、従来、鉄筋を折り曲げる目的で使用される器具あるいは工具として、バーベンダーやハッカーなどが知られている。例えば特許文献１には、ハッカーの一例として、手作業にて鉄筋を曲げるための鉄筋曲げハッカーが開示されている。また、特許文献１には、２つのハッカーを用いて鉄筋を９０°曲げる例が開示されている。
【先行技術文献】
【特許文献】
【０００４】
【特許文献１】特開平１０−１４０８３６号公報
【発明の概要】
【発明が解決しようとする課題】
【０００５】
一般的に、コンクリートブロック内に配筋された縦筋を折り曲げる場合には、縦筋が配筋された空間にモルタルを充填して、モルタルの硬化後に縦筋の折り曲げ加工をするという手順が採用されている。
しかしながら、上記手順では、モルタルの硬化を待たなければならず、工期が長くなり、また工期が長くなることにより施工コストが増加してしまうという問題がある。
また、特許文献１に記載の例では、モルタルが充填される前に縦筋の折り曲げ加工をしようとしても、コンクリートブロックのウェブ間の狭い隙間内に各ハッカーが入らないので、適切な位置で縦筋の折り曲げ加工をすることが困難であった。
【０００６】
本発明は、上述した事情に鑑みてなされたものであって、その目的は、コンクリートブロック内の狭い隙間内で好適に縦筋の折り曲げ加工をすることができるコンクリートブロック用縦筋折り曲げ具を提供することである。
【課題を解決するための手段】
【０００７】
上記課題を解決するために、この発明は以下の手段を提案している。
本発明のコンクリートブロック用縦筋折り曲げ具は、壁を構成するコンクリートブロックにおけるフェイスシェルとウェブとによって囲まれた空洞部内に配筋された縦筋を折り曲げるコンクリートブロック用縦筋折り曲げ具であって、前記コンクリートブロックのうち前記壁の最上段に配されるコンクリートブロックにおける前記空洞部内に挿入され前記縦筋の外面のうち当該空洞部内に位置する部分に接して前記縦筋を保持する縦筋保持部と、前記縦筋保持部が先端側に配され作業者によって把持される保持側把持部が基端側に配された第一棒状部材と、前記縦筋の外面における前記縦筋保持部と前記縦筋との接触部位とは異なる位置において前記縦筋の外面に接する支持部と、前記支持部から離れた位置に配され前記支持部と前記縦筋との接点とは異なる前記空洞部外の位置において前記縦筋の外面に接する曲げ作用部と、前記支持部と前記曲げ作用部とが先端側に設けられ前記作業者によって把持される曲げ側把持部が基端側に配された第二棒状部材と、を備え、前記空洞部内において前記縦筋保持部に前記縦筋が保持された状態で、前記縦筋保持部による前記縦筋の保持位置よりも鉛直上方に位置する前記縦筋の外面の一部に前記支持部および前記曲げ作用部を接触させ、且つ前記曲げ作用部が前記支持部を回転中心として回転移動するように前記第一棒状部材に対して前記第二棒状部材を移動させることによって前記縦筋が垂直方向から水平方向へ向かって折り曲げられることを特徴とするコンクリートブロック用縦筋折り曲げ具である。
【０００８】
また、本発明のコンクリートブロック用縦筋折り曲げ具は、前記縦筋保持部と前記第一棒状部材とを備えた保持ハッカーと、前記保持ハッカーとは別体であって前記支持部と前記曲げ作用部と前記第二棒状部材とを備えた曲げハッカーと、を有し、前記縦筋が垂直に延びている状態において、前記縦筋保持部によって前記縦筋を保持した状態の保持ハッカーの第一棒状部材は、前記支持部および前記曲げ作用部が前記縦筋に接した状態の前記曲げハッカーの第二棒状部材に対して交差する方向に延びて配置され、前記曲げハッカーに設けられた支持部は前記縦筋を間に挟んで前記保持ハッカーと反対側に位置し、且つ前記曲げ作用部は前記縦筋を間に挟んで前記支持部と反対側に位置し、前記第一棒状部材と前記第二棒状部材との間隔が開く方向に前記第一棒状部材に対して前記第二棒状部材を移動させることによって前記縦筋を垂直方向から水平方向へと折り曲げるようになっていてもよい。
【０００９】
また、前記第一棒状部材と前記第二棒状部材との少なくともいずれかの基端には、前記縦筋における折り曲げ予定部位から前記縦筋の上端までの範囲の前記縦筋が内部に挿入される有底筒形状の入隅用曲げ補助部が設けられていることが好ましい。
【００１０】
また、本発明のコンクリートブロック用縦筋折り曲げ具は、前記縦筋保持部と前記第一棒状部材とを備えた保持ハッカーと、前記支持部と前記曲げ作用部と前記第二棒状部材とを備えた曲げハッカーと、を有し、前記保持ハッカーと前記曲げハッカーとは前記支持部を回転中心として相対回動可能に前記支持部において互いに連結され、前記縦筋保持部と前記縦筋とが前記空洞部内にて接しているときに前記第一棒状部材が天端筋と平行な向きとなるように、前記縦筋保持部と前記第一棒状部材との接続部分は屈曲して形成されていてもよい。
【００１１】
また、前記第二棒状部材の先端に、前記支持部から前記曲げ作用部までの距離よりも前記支持部から離れた位置に配され前記空洞部外で前記縦筋の外面に接する補助作用部をさらに備えていてもよい。
【００１２】
また、前記第一棒状部材は、前記コンクリートブロックのうち前記壁の最上段に配されるコンクリートブロックの上面および両フェイスシェルに接して前記第一棒状部材を前記天端筋と平行に保持する支持台部を有していてもよい。
【発明の効果】
【００１３】
本発明のコンクリートブロック用縦筋折り曲げ具によれば、コンクリートブロック内の狭い隙間内で好適に縦筋の折り曲げ加工をすることができる。
【図面の簡単な説明】
【００１４】
【図１】本発明の第１実施形態のコンクリートブロック用縦筋折り曲げ具における保持ハッカーを示す斜視図である。
【図２】同保持ハッカーの左側面図である。
【図３】同保持ハッカーの正面図である。
【図４】同コンクリートブロック用縦筋折り曲げ具における曲げハッカーを示す斜視図である。
【図５】同曲げハッカーの正面図である。
【図６】同曲げハッカーの左側面図である。
【図７】同曲げハッカーの右側面図である。
【図８】同コンクリートブロック用縦筋折り曲げ具の作用を説明するための説明図である。
【図９】同コンクリートブロック用縦筋折り曲げ具の作用を説明するための説明図である。
【図１０】本発明の第２実施形態のコンクリートブロック用縦筋折り曲げ具の正面図である。
【図１１】同コンクリートブロック用縦筋折り曲げ具の左側面図である。
【図１２】同コンクリートブロック用縦筋折り曲げ具の作用を説明するための説明図である。
【図１３】同コンクリートブロック用縦筋折り曲げ具の作用を説明するための説明図である。
【図１４】同コンクリートブロック用縦筋折り曲げ具の作用を説明するための説明図である。
【図１５】同コンクリートブロック用縦筋折り曲げ具の作用を説明するための説明図である。
【発明を実施するための形態】
【００１５】
（第１実施形態）
本発明の第１実施形態のコンクリートブロック用縦筋折り曲げ具１（以下、単に「縦筋折り曲げ具１」と称する。）について説明する。図１は、本実施形態の縦筋折り曲げ具１における保持ハッカー２を示す斜視図である。図２は、保持ハッカー２の左側面図である。図３は、保持ハッカー２の正面図である。図４は、縦筋折り曲げ具１における曲げハッカー１０を示す斜視図である。図５は、曲げハッカー１０の正面図である。図６は、曲げハッカー１０の左側面図である。図７は、曲げハッカー１０の右側面図である。図８及び図９は、縦筋折り曲げ具１の作用を説明するための説明図である。
【００１６】
まず、縦筋折り曲げ具１の構成について説明する。本実施形態の縦筋折り曲げ具１は、塀や壁を構成するコンクリートブロック１００におけるフェイスシェル１０１とウェブ１０２とによって囲まれた空洞部１０３（図８参照）内に配筋された縦筋１１０を折り曲げる目的で使用されるコンクリートブロック１００用の縦筋折り曲げ具である。
【００１７】
図８に示すように、縦筋折り曲げ具１は、空洞部１０３内で縦筋１１０を保持する保持ハッカー２と、保持ハッカー２に保持された縦筋１１０を折り曲げる曲げハッカー１０とを備える。
【００１８】
図１ないし図３に示すように、保持ハッカー２は、全体として棒状に構成されており、縦筋保持部３と第一棒状部材６とを備えている。
【００１９】
図１及び図２に示すように、縦筋保持部３は、コ字状に形成された部材である。すなわち、縦筋保持部３は、板状に形成された底板部４と、底板部４から垂直に延びる一対の側板部５とを備えている。本実施形態では、底板部４及び一対の側板部５は所定の長さで切断されたチャネル綱によって構成されており、底板部４及び一対の側板部５は一体成形されている。底板部４及び側板部５によって三方が囲まれた直方体状の空間内には、縦筋１１０を構成する鉄筋が入り込むようになっている。一対の側板部５の距離は、縦筋１１０を構成する鉄筋の外径に応じて定められている。
縦筋保持部３は、コンクリートブロック１００のうち塀や壁の最上段に配されるコンクリートブロック１００における空洞部１０３内に挿入可能な寸法とされている。これにより、縦筋保持部３は、縦筋１１０の外面のうち当該空洞部１０３内に位置する部分に接して縦筋１１０を保持することができる。
【００２０】
図２および図３に示すように、第一棒状部材６は、中実な棒状形状を有しており、縦筋保持部３が先端側に配され、作業者によって把持される保持側把持部７が基端側に配されている。第一棒状部材６の先端と縦筋保持部３とは例えば溶接等によって固定されている。第一棒状部材６の先端と縦筋保持部３との固定位置は、第一棒状部材６の先端の外周面の一部に縦筋保持部３の側板部５の一方が接する位置関係となっている。第一棒状部材６の中間部の一部は、第一棒状部材６の中心軸線Ｏ１が屈曲するように曲げられている。第一棒状部材６の曲げ方向は、第一棒状部材６の先端側における第一棒状部材６の中心軸線Ｏ１Ａ方向に見たときに、第一棒状部材６の基端が縦筋保持部３から離れる方向となっている。
【００２１】
保持ハッカー２は、全体が赤色に着色されており、施工現場において保持ハッカー２を見つけやすくなっている。なお、保持ハッカー２の色は赤色には限られない。
【００２２】
図４ないし図７に示すように、曲げハッカー１０は、図１に示す保持ハッカー２とは別体であって、全体として棒状に構成されている。曲げハッカー１０は、先端構成部１１と、先端構成部１１が先端に固定された第二棒状部材１５とを備えている。
【００２３】
図４に示すように、先端構成部１１は、板状のベース１２と、ベース１２状に配された支持部１３及び曲げ作用部１４とを備えている。図５に示すように、ベース１２は、第二棒状部材１５の中心軸線方向Ｏ２に延びる基部１２ａと、第二棒状部材１５の中心軸線Ｏ２から交差する方向へ向かって延びる先端部１２ｂとを有している。
図６に示すように、支持部１３は、ベース１２の先端部１２ｂに配置されておりベース１２の板厚方向の一方側の面から当該板厚方向に突出されている。本実施形態では、支持部１３は、ベース１２の板厚方向に中心軸線が延びる円柱形状とされており、支持部１３の突出端は角が落とされている。
【００２４】
図５及び図６に示すように、曲げ作用部１４は、ベース１２において支持部１３から離れた位置に配されている。本実施形態では、曲げ作用部１４は、基部１２ａと先端部１２ｂとの境界部分に配置されている。曲げ作用部１４は、ベース１２の板厚方向に中心軸線が延びる円柱状の作用部本体１４ａと、ベース１２からの作用部本体１４ａの突出端に形成され作用部本体１４ａの径方向外側に延びるフランジ部１４ｂとを有している。作用部本体１４ａの外周面には縦筋１１０を構成する鉄筋の外面が接する。フランジ部１４ｂは、作用部本体１４ａの外周面に接した状態の縦筋１１０が作用部本体１４ａから外れるのを防止するための抜け止めとして機能する。
【００２５】
図５に示すように、第二棒状部材１５は、中空の円筒部材であり、第二棒状部材１５の先端が先端構成部１１のベース１２に溶接により固定されている。また、第二棒状部材１５の基端は、ローレット掛け等による滑り止めが形成されており、作業者によって把持される曲げ側把持部１７とされている。
【００２６】
図５および図７に示すように、第二棒状部材１５の基端には、縦筋１１０における折り曲げ予定部位１１０ａから縦筋１１０の上端までの範囲の縦筋１１０が内部に挿入される孔１６ａが形成された有底筒形状の入隅用曲げ補助部１６が設けられている。
縦筋１１０の上端は、第二棒状部材１５の基端に形成された開口から孔１６ａの内部に挿入される。入隅用曲げ補助部１６に縦筋１１０の上端部分が挿入された状態では、縦筋１１０における折り曲げ予定部位１１０ａに第二棒状部材１５の基端が位置するようになっている。また、入隅用曲げ補助部１６に形成された孔１６ａの深さ寸法は、縦筋１１０の直径の１０倍に設定されている。このため、入隅用曲げ補助部１６に形成された孔１６ａの底に縦筋１１０の上端が当たるまで縦筋１１０を孔１６ａに挿入してから第二棒状部材１５を水平方向へ倒すことによって、縦筋１１０の上端から縦筋１１０の直径の１０倍分だけ下方に位置する部分において縦筋１１０を折り曲げることができる。
【００２７】
第二棒状部材１５の長さは、配筋される縦筋１１０の間隔に対応して設定されることが好ましい。即ち、第二棒状部材１５の長さは、隣り合う縦筋１１０の間隔以下の長さであることが好ましい。また、詳細は後述するが、第二棒状部材１５の長さが長い方が縦筋１１０の折り曲げに要する力が少なくて済むので、第二棒状部材１５は、隣り合う縦筋１１０の間隔以下の長さである条件下において、長い方がよい。例えば、縦筋１１０を配筋する場合に隣り合う縦筋１１０の間隔は、建築基準法において８００ｍｍと定められている。この場合、第二棒状部材１５の長さが８００ｍｍ以下であれば、曲げハッカー１０の使用時に第二棒状部材１５が縦筋１１０に干渉しない。具体的には、第二棒状部材１５の長さは７５０ｍｍとすることができる。また、例えば縦筋１１０を配筋する場合に隣り合う縦筋１１０の間隔を４００ｍｍとする施工現場の場合には、第二棒状部材１５の長さは４００ｍｍ以下、具体的にはたとえば３５０ｍｍとすることができる。
【００２８】
なお、第二棒状部材１５の長さを４００ｍｍ以下としておけば、縦筋１１０を配筋する場合に隣り合う縦筋１１０の間隔が４００ｍｍであっても８００ｍｍであっても隣り合う縦筋１１０に干渉することがない。
また、第二棒状部材１５の長さは、施工をする作業者の平均的な筋力に基づいて定めてもよい。これにより、第二棒状部材１５が無用に長かったり施工に過度の負荷がかかるほど第二棒状部材１５が短かったりすることなく適切な長さとすることができる。
【００２９】
すなわち、本実施形態において、第二棒状部材１５の好適な長さは、３５０ｍｍ以上７５０ｍｍ以下の範囲内である。なお、第二棒状部材１５の長さが３５０ｍｍに僅かに満たないことや、第二棒状部材１５の長さが７５０ｍｍから僅かにはみ出すことは許容される。
【００３０】
曲げハッカー１０は、全体が赤色に着色されており、施工現場において曲げハッカー１０を見つけやすくなっている。なお、曲げハッカー１０の色は赤色には限られない。
【００３１】
ここで、保持ハッカー２及び曲げハッカー１０の使用時における各構成要素の相対位置関係について説明する。
図８に示すように、保持ハッカー２においては、縦筋１１０が垂直に延びている状態において、縦筋保持部３における一対の側板部５の間に縦筋１１０を挿入することにより、縦筋保持部３によって縦筋１１０を保持した状態とすることができる。
【００３２】
また、曲げハッカー１０の支持部１３は、縦筋１１０の外面における縦筋保持部３と縦筋１１０との接触部位とは異なる位置において縦筋１１０の外面に接する。本実施形態ででは、曲げハッカー１０の支持部１３は、縦筋１１０の外面における縦筋保持部３と縦筋１１０との接触部位よりも上方において縦筋１１０の外面に接する。さらに、曲げ作用部１４は、支持部１３と縦筋１１０との接点とは異なる空洞部１０３外の位置において縦筋１１０の外面に接する。
【００３３】
保持ハッカー２の第一棒状部材６は、支持部１３および曲げ作用部１４が縦筋１１０に接した状態の曲げハッカー１０の第二棒状部材１５に対して交差する方向に延びて配置されている。さらに、曲げハッカー１０に設けられた支持部１３は、縦筋１１０を間に挟んで保持ハッカー２と反対側に位置し、且つ曲げ作用部１４は縦筋１１０を間に挟んで支持部１３と反対側に位置している。
【００３４】
次に、縦筋折り曲げ具１の作用について図８及び図９を参照して説明する。
コンクリートブロック１００が積まれてなる塀や壁に設けられた縦筋１１０は、下端が基礎内で例えばＬ字状に曲げられており、下端から上端へと直線状に延びている。最上段に配されたコンクリートブロック１００の上には、コンクリートブロック１００に沿って例えば水平方向に天端筋１１１が配される。
【００３５】
次に、図８に示すように、コンクリートブロック１００の空洞部１０３のうち縦筋１１０が配された空洞部１０３内に保持ハッカー２の縦筋保持部３を挿入し、当該空洞部１０３内の縦筋１１０を保持ハッカー２によって保持する。続いて、空洞部１０３内において縦筋保持部３に縦筋１１０が保持された状態で、縦筋保持部３による縦筋１１０の保持位置よりも鉛直上方に位置する縦筋１１０の外面の一部に支持部１３および曲げ作用部１４を接触させる。このとき、第一棒状部材６と第二棒状部材１５とは、互いの中心軸線Ｏ１、Ｏ２が交差若しくはねじれの位置となるように、基端側が先端側よりも開いた位置関係となる。なお、本実施形態では、第一棒状部材６における屈曲部位よりも基端側における中心軸線Ｏ１Ｂと第二棒状部材１５の中心軸線Ｏ２とがねじれ位置となっている。
【００３６】
その後、曲げ作用部１４が支持部１３を回転中心として回転移動するように第一棒状部材６に対して第二棒状部材１５を移動させる。第一棒状部材６を把持する位置が第一棒状部材６の基端に近いほど、てこの原理によって軽い力で保持ハッカー２を支えることができる。また、第二棒状部材１５を把持する位置が第二棒状部材１５の基端に近いほど、てこの原理によって軽い力で曲げハッカー１０を移動させることができる。
【００３７】
本実施形態では、第一棒状部材６と第二棒状部材１５との間隔が開く方向に第一棒状部材６に対して第二棒状部材１５を移動させる。これにより、縦筋１１０が垂直方向から水平方向へ向かって折り曲げられる。また、曲げハッカー１０に形成されたベース１２が基部１２ａに対して先端部１２ｂが曲がった形状とされており、第二棒状部材１５を天端筋１１１と平行となるように移動させることによって、図９に示すように、縦筋１１０は天端筋１１１と平行となるように９０°折り曲げられる。
縦筋１１０が９０°折り曲げられたら、天端筋１１１と平行にされた部位の縦筋１１０と天端筋１１１とを結束する。
これで、縦筋１１０と天端筋１１１とが連結される。
【００３８】
次に、本実施形態の縦筋折り曲げ具１を用いて入隅部において縦筋１１０の折り曲げ加工をする例について説明する。
本実施形態において、入隅部とは、コンクリートブロック１００を積む段数が変わっていることによりＬ字状の輪郭を有する部分である。
入隅部は、保持ハッカー２を空洞部１０３に挿入したあとに曲げハッカー１０を空洞部１０３に挿入するといずれか一方のハッカーがコンクリートブロック１００と干渉する可能性がある。
【００３９】
ここで、入隅部においては、図５に示す入隅用曲げ補助部１６を用いて縦筋１１０を折り曲げる。この場合、入隅用曲げ補助部１６に形成された孔１６ａの開口の周縁が鉄筋の外面に接する支点となって鉄筋が折り曲げられる。本実施形態では、入隅用曲げ補助部１６を用いて、第二棒状部材１５が天端筋１１１と平行となるように孔１６ａの開口を中心に第二棒状部材１５を回転移動させる。なお、入隅用曲げ補助部１６を用いてある程度縦筋１１０が曲げられて干渉のおそれがなくなったところで、支持部１３および曲げ作用部１４を縦筋１１０の曲がり部分にあわせて配置して再び縦筋１１０を曲げてもよい。
これにより、入隅部において好適に縦筋１１０を折り曲げ加工することができる。
【００４０】
以上説明したように、本実施形態のコンクリートブロック用縦筋折り曲げ具１によれば、コンクリートブロック１００内の狭い隙間内で好適に縦筋１１０の折り曲げ加工をすることができる。
【００４１】
また、第一棒状部材６が屈曲しており、第二棒状部材１５の先端に配されたベース１２が第二棒状部材１５の中心軸線に対して交差する方向に延びる先端部１２ｂを有しているので、曲げハッカー１０と保持ハッカー２との両方を縦筋１１０に取り付けたときに第一棒状部材６と第二棒状部材１５とが干渉しにくい。これにより、第一棒状部材６に対して第二棒状部材１５を移動させやすい。
【００４２】
また、第一棒状部材６に対して第二棒状部材１５が離れる方向へと第二棒状部材１５を移動させることによって縦筋１１０を折り曲げることができるので、作業者が手作業にて折り曲げ加工をする場合に力を掛けやすい。
【００４３】
また、入隅用曲げ補助部１６が設けられているので、入隅部においても縦筋１１０を折り曲げることができる。また、入隅用曲げ補助部１６の孔１６ａが、縦筋１１０の直径の１０倍の深さを有する有底円筒状であるので、縦筋１１０を折り曲げる位置を上端から縦筋１１０の直径の１０倍だけ下方の位置に精度よくあわせることができる。
【００４４】
（第２実施形態）
次に、本発明の第２実施形態のコンクリートブロック用縦筋折り曲げ具（以下、単に「縦筋折り曲げ具」と称する。）について説明する。図１０は、本実施形態の縦筋折り曲げ具の正面図である。図１１は、縦筋折り曲げ具の左側面図である。図１２ないし図１５は、縦筋折り曲げ具の作用を説明するための説明図である。
【００４５】
図１０に示すように、縦筋折り曲げ具２０は、縦筋保持部２２及び第一棒状部材２７を備えた保持ハッカー２１と、支持部３１，曲げ作用部３３，補助作用部３６，及び第二棒状部材３９と備えた曲げハッカー３０とを有している。また、保持ハッカー２１と曲げハッカー３０とは、支持部３１において互いに連結されている。
【００４６】
縦筋保持部２２は、縦筋１１０の外面に接する板状の背板部２３と、背板部２３の厚さ方向に背板部２３から突出して形成された突起部２６とを有している。
【００４７】
背板部２３は、第一棒状部材２７の長手方向に長い矩形形状（略矩形形状を含む）に形成された基部２４と、基部２４の長手方向と直交する方向に長い矩形形状（略矩形形状を含む）に形成された先端部２５とを有する板状部材である。先端部２５は、コンクリートブロック１００に形成された空洞部１０３に挿入可能な大きさに形成されている。また、先端部２５には、曲げハッカー３０の支持部３１が連結されている。
【００４８】
図１０及び図１１に示すように、突起部２６は、背板部２３の先端部２５において突起部２６が設けられた側の面と直交する面を有しており、当該面は縦筋１１０の外面に接触する面となっている。背板部２３からの突起部２６の突出長は、少なくとも後述するベース３２の板厚よりも大きい。また、突起部２６は、後述する曲げ作用部３３及び補助作用部３６の突出端の位置と同程度となるように突出されていることが好ましい。
【００４９】
ただし、突起部２６の突出長が長すぎると、縦筋保持部２２を空洞部１０３内に挿入しにくくなったり、折り曲げ加工後に突起部２６を空洞部１０３内から取り出しにくくなったりする可能性がある。また、突起部２６は、空洞部１０３への挿入方向における先端側に、先端に行くに従って突出長が短くなるように傾斜したテーパー部２６ａが形成されている。テーパー部２６ａが形成されていることにより、突起部２６を空洞部１０３内へ挿入する過程において突起部２６を空洞部１０３内にスムーズに挿入することができる。
本実施形態では、背板部２３の先端部２５と背板部２３に形成された突起部２６とによってＬ字状に屈曲された面が形成されており、Ｌ字状の面に縦筋１１０の外面が接触して縦筋１１０が保持される。
【００５０】
第一棒状部材２７は、背板部２３の基部２４に固定された円筒形状あるいは円柱形状の部材であり、基部２４の長手方向に沿って延びる棒状の部材である。なお、必要に応じて、第一棒状部材２７は、塀や壁の最上段に配されるコンクリートブロック１００の上面および両フェイスシェル１０１に接して第一棒状部材２７を天端筋１１１と平行に保持する支持台部２８を有していてもよい。
第一棒状部材２７の長さは、第１実施形態で説明した第二棒状部材１５の長さと同様の決め方により決定されてよい。
【００５１】
図１０及び図１１に示すように、曲げハッカー３０に形成された支持部３１は、板状のベース３２に固定された円柱形状の部材である。支持部３１の中心軸線Ｏ５の位置は、保持ハッカー２１の突起部２６に対する相対位置関係が固定された状態とされている。また、ベース３２と背板部２３とは、支持部３１の中心軸線Ｏ５を回転中心として保持ハッカー２１と曲げハッカー３０とが相対回動可能となるように連結されている。
【００５２】
曲げ作用部３３は、ベース３２上において支持部３１が形成された側の面上に設けられている。また、曲げ作用部３３は、ベース３２上において支持部３１から離間した位置に配置されている。曲げ作用部３３は、円柱形状の軸部３４と、軸部３４に取り付けられたリング部３５とを備えている。リング部３５は、軸部３４の中心軸線回りに軸部３４に対して相対回転するようになっている。リング部３５の外周面は縦筋１１０の外面に接する面となっている。
【００５３】
補助作用部３６は、ベース３２において支持部３１及び曲げ作用部３３が設けられた側の面に設けられている。さらに、補助作用部３６は、ベース３２において、支持部３１から曲げ作用部３３までの距離よりも支持部３１から離れた位置に配されている。補助作用部３６の形状は曲げ作用部３３と同様であり、軸部３７とリング部３８とを備える。リング部３８は、軸部３７の中心軸線回りに相対回転する。リング部３８の外周面は、縦筋１１０の外面が接する面となっている。
【００５４】
第二棒状部材３９は、ベース３２が先端に固定された円筒状若しくは円柱状の部材である。本実施形態では、第二棒状部材３９の中心軸線Ｏ４の延長線上に支持部３１が位置している。第二棒状部材３９の長さは、第１実施形態で説明した第二棒状部材１５の長さと同様の決め方により決定されてよい。
【００５５】
次に、本実施形態の縦筋折り曲げ具２０の作用について図１２ないし図１５を参照して説明する。
縦筋折り曲げ具２０を使用して縦筋１１０の折り曲げ加工をする場合には、図１２に示すように、コンクリートブロック１００の空洞部１０３内に縦筋保持部２２の一部を挿入する。具体的には、縦筋保持部２２の突起部２６が空洞部１０３内に位置するように背板部２３の先端部２５の一部が空洞部１０３内に挿入される。その後、縦筋保持部２２の背板部２３と突起部２６とによって構成されるＬ字状の面を、縦筋１１０の外面に空洞部１０３内にて接触させる。
【００５６】
縦筋保持部２２と縦筋１１０とが接触しているときには、第一棒状部材２７は、天端筋１１１と平行な向きとなっている。これは、縦筋保持部２２と第一棒状部材２７との接続部分となる背板部２３において、基部２４に対して先端部２５が屈曲した形状とされていることによる。
【００５７】
この状態で、図１２に示すように、作業者は、まず、支持部３１の外周面と補助作用部３６の外周面とがともに縦筋１１０の外面に接するように、支持部３１及び補助作用部３６を縦筋１１０に取り付ける。支持部３１の外周面と補助作用部３６の外周面とがともに縦筋１１０の外面に接している状態では、第一棒状部材２７と第二棒状部材３９とは略直交する位置関係となっている。例えば、コンクリートブロック１００の上辺が水平である場合、第一棒状部材２７の中心軸線Ｏ３は水平方向に延び、第二棒状部材３９の中心軸線Ｏ４は鉛直方向に延びている。
また、支持部３１は空洞部１０３内で縦筋１１０の外面に接し、補助作用部３６は空洞部１０３外で縦筋１１０の外面に接する。
【００５８】
この状態で、図１３に示すように、第二棒状部材３９が第一棒状部材２７の位置に近づくように第二棒状部材３９を水平方向へ向かって倒してゆく。第二棒状部材３９は支持部３１の中心軸線Ｏ５回りに第一棒状部材２７に対して回動し、支持部３１を支点として、且つ補助作用部３６を作用点として、縦筋１１０が折り曲げられる。
【００５９】
縦筋１１０が補助作用部３６に接している状態で、ベース３２がコンクリートブロック１００（図１２参照）に接触する手前まで第一棒状部材２７に対して第二棒状部材３９を移動させる。これにより、縦筋１１０は、鉛直上方を０°として０°以上９０°未満の所定の角度に折り曲げられる。
【００６０】
続いて、図１４に示すように、補助作用部３６から縦筋１１０を取り外し、曲げ作用部３３に縦筋１１０を付け替える。これにより、縦筋１１０は、支持部３１の外周面と曲げ作用部３３の外周面とがともに接する状態となる。縦筋１１０を補助作用部３６から曲げ作用部３３に付け替えることにより、第二棒状部材３９は再び鉛直方向に中心軸線Ｏ４が延びる状態とされる。
【００６１】
その後、第二棒状部材３９が第一棒状部材２７の位置に近づくように第二棒状部材３９を天端筋１１１へ向かって倒してゆく。第二棒状部材３９は支持部３１の中心軸線Ｏ５回りに第一棒状部材２７に対して回動し、支持部３１を支点として、且つ曲げ作用部３３を作用点として、縦筋１１０が折り曲げられる。
支持部３１及び曲げ作用部３３を用いて縦筋１１０を折り曲げることにより、縦筋１１０は、鉛直方向に対して９０°折り曲げられる。
縦筋１１０が９０°折り曲げられた後は、上記第１実施形態と同様に天端筋１１１と縦筋１１０とが結束される。
【００６２】
このように、本実施形態の縦筋折り曲げ具２０は、保持ハッカー２１と曲げハッカー３０とが支持部３１の中心軸線Ｏ５回りに相対回転可能に連結されているので、保持ハッカー２１に対する曲げハッカー３０の移動方向が規制される。これにより、縦筋１１０及び天端筋１１１に対する保持ハッカー２１の位置を予め定めておけば、第一棒状部材２７に対して第二棒状部材３９を相対回転可能な方向へ回転させるだけで縦筋１１０を折り曲げることができる。これにより、単純な作業で精度良く縦筋１１０を折り曲げることができる。
なお、支持台部２８によって保持ハッカー２１がコンクリートブロック１００に取り付けられていれば、折り曲げ加工中は第一棒状部材２７を保持しなくてもよいので作業性がよい。
【００６３】
また、保持ハッカー２１と曲げハッカー３０とが連結されているので、縦筋１１０を保持する位置と縦筋１１０を折り曲げる位置とが予め定められた位置関係となり、再現性の高い折り曲げ加工ができる。
【００６４】
また、補助作用部３６が設けられているので、補助作用部３６を用いた曲げ加工と曲げ作用部３３を用いた曲げ加工の２回に分けて縦筋の折り曲げをすることができる。これにより、作業者が力を掛けやすい範囲で第二棒状部材３９を移動させることができ、作業性がよい。
【００６５】
以上、本発明の実施形態について図面を参照して詳述したが、具体的な構成はこの実施形態に限られるものではなく、本発明の要旨を逸脱しない範囲の設計変更等も含まれる。
例えば、上記第１実施形態において、第一棒状部材６は直線状であってもよい。
また、上記第１実施形態において、ベース１２の基部１２ａに対して先端部１２ｂが曲がっている例を示したが、ベース１２の基部１２ａと先端部１２ｂとがいずれも第二棒状部材１５の中心軸線方向に延びていてもよい。
また、上述の各実施形態において示した構成要素は適宜に組み合わせて構成することが可能である。
【符号の説明】
【００６６】
１  縦筋折り曲げ具
２  保持ハッカー
３  縦筋保持部
４  底板部
５  側板部
６  第一棒状部材
７  保持側把持部
１０  曲げハッカー
１１  先端構成部
１２  ベース
１２ａ  基部
１２ｂ  先端部
１３  支持部
１４  作用部
１４ａ  作用部本体
１４ｂ  フランジ部
１５  第二棒状部材
１６  入隅用曲げ補助部
１６ａ  孔
１７  曲げ側把持部
２０  縦筋折り曲げ具
２１  保持ハッカー
２２  縦筋保持部
２３  背板部
２４  基部
２５  先端部
２６  突起部
２６ａ  テーパー部
２７  第一棒状部材
２８  支持台部
３０  曲げハッカー
３１  支持部
３２  ベース
３３  作用部
３４  軸部
３５  リング部
３６  補助作用部
３７  軸部
３８  リング部
３９  第二棒状部材
Ｏ１  中心軸線
Ｏ１Ａ  中心軸線
Ｏ１Ｂ  中心軸線
Ｏ２  中心軸線
Ｏ３  中心軸線
Ｏ４  中心軸線
Ｏ５  中心軸線
１００  コンクリートブロック
１０１  フェイスシェル
１０２  ウェブ
１０３  空洞部
１１０  縦筋
１１１  天端筋
【図１】
0005826046.tif 000002
【図２】
0005826046.tif 000003
【図３】
0005826046.tif 000004
【図４】
0005826046.tif 000005
【図５】
0005826046.tif 000006
【図６】
0005826046.tif 000007
【図７】
0005826046.tif 000008
【図８】
0005826046.tif 000009
【図９】
0005826046.tif 000010
【図１０】
0005826046.tif 000011
【図１１】
0005826046.tif 000012
【図１２】
0005826046.tif 000013
【図１３】
0005826046.tif 000014
【図１４】
0005826046.tif 000015
【図１５】
0005826046.tif 000016